(57)【要約】【課題】  作業用保護帽（ヘルメット）に検電器を組み込むようにしたものであると作業者がそのヘルメットをかぶるようになれば監視人がいなくても事故を未然に防ぐことが出来るが、暑さの為作業者がヘルメットをかぶらず布製の帽子のままでしかも検電器がない状態で作業現場に入ってしまうと、その作業者は感電と云う大きな事故を招き兼ねなかったことは勿論、布製帽子であることより頭上への物の落下時、頭上にかかる衝撃力をも吸収出来ないと云う課題があった。【解決手段】  頭部を衝撃から保護する保護部材を合成樹脂等で作り、その保護部材を軽くて通気性のある作業用帽子に着脱自在に設けると共にその保護部材に前記帽子との間に検電器を装着自在に設けることが出来る収納部を設けたものである。【選択図】図３
2008150761.tif 000002
【特許請求の範囲】
【請求項１】
頭部を衝撃から保護する保護部材を合成樹脂等で作り、その保護部材を軽くて通気性のある作業用帽子に着脱自在に設けると共に、その保護部材に前記帽子との間に検電器を装着自在に設けることが出来る収納部を設けたことを特徴とする検電器を装着した作業用帽子。
【請求項２】
保護部材と一体に収納部を作ると共にその収納部は二個の検電器を収納出来る大きさとしたことを特徴とする請求項１記載の検電器を装着した作業用帽子。
【請求項３】
帽子の内側形状に合わせて作られた保護部材は帽子の折り返し部にフランジ部が挾持される構成としたことを特徴とする請求項１記載の検電器を装着した作業用帽子。
【請求項４】
検電器が高電圧を検出した時、振動と警告音をもって、作業者に危険を知らせるようにした携帯用検電器。
【発明の詳細な説明】
【技術分野】
【０００１】  本発明は軽くて通気性のある作業用帽子に高電圧充電部に接近した時、音或いは振動等の警報を発する警電器を装着した作業用帽子に関するものである。
【背景技術】
【０００２】  従来の作業用保護帽（ヘルメット）は強化プラスチック或いは金属で作られ、主として頭部を衝撃力から保護することを目的に作られている。
この為夏期の如く周囲温度が高い時には上記作業用保護帽は通気性に欠けている為、作業者は、重さに耐え更に暑さに耐えて作業を継続しなければならなかった。これは上記作業用保護帽が強化プラスチック或いは金属で作られていた為である。【０００３】  一方工事現場等の如く６００Ｖ〜７，０００Ｖ以上の電圧が充電している機器、送電線等に接近して作業する場合には、感電事故を防止する為、危険距離内に入り込まないように第三者の監視人を配置し、監視する必要があった。
しかしながら、作業者が作業に没頭しているような場合には監視人の注意喚起に気づかずに不安全行為をしてしまう恐れがあった。【０００４】  これを防ぐ為に作業者は注意喚起をしてくれる検電器を上記作業用保護帽（ヘルメット）に取り付けたり、身に着けたりして作業現場に入る事が多い。
しかし、このやり方は検電器の取り付け忘れ、或いは作業者の身に着け忘れと云うヒューマンエラー対策としては不十分であった。【０００５】  これらの点に鑑みてなされたものに特許文献に掲げた特開平１１〜１２８４２号や実開平５〜１４９３２号等がある。
このものは作業用保護帽（ヘルメット）に検電器を取り付けたものである為、上記ヒューマンエラーは防止出来るものの作業者の暑さ、重さ対策については何等考慮されていない為周囲温度が高くなる夏場等には不向きであった。
この為作業者は安全帽子のままで作業現場に入ってしまうと云う事故が応々にしてあった。
【特許文献】  特開平１１〜１２８４２号  実開平５〜１４９３２号
【発明の開示】
【発明が解決しようとする課題】
【０００６】作業用保護帽（ヘルメット）に検電器を組み込むようにしたものであると作業者がそのヘルメットをかぶるようになれば監視人がいなくても事故を未然に防ぐことが出来るが、暑さの為作業者がヘルメットをかぶらず布製の帽子のままでしかも検電器がない状態で作業現場に入ってしまうと、その作業者は感電と云う大きな事故を招き兼ねなかったことは勿論、布製帽子であることより頭上への物の落下時、頭上にかかる衝撃力をも吸収出来ないと云う課題があった。
更には警報を音で知らせるものにあっては、作業現場の雑音が大きいと、作業者はその警報に気が付かないと云う課題もあった。
本発明は上記課題を解決することを目的としてなされたものである。
【課題を解決するための手段】
【０００７】  本発明は上記目的を達成すべくなされたものである。
即ち、頭部を衝撃から保護する保護部材を合成樹脂等で作り、更にその保護部材を軽くて通気性のある作業用帽子に着脱自在に設けると共にその保護部材に前記帽子との間に検電器を装着自在に設けることが出来る収納部を設けたものであるから作業者は夏期の暑さから解放され、且つ軽くても頭の保護が確保され、更には感電から身を守ることが出来るものである。【０００８】  又、保護部材と一体に収納部を作ると共に、その収納部は二個の検電器が収納出来る大きさとしたものであるから、途中で一個の検電器のバッテリー切れ等が生じても作業者の身は守られるものである。【０００９】  又、帽子の内側形状に合わせて作られた保護部材は帽子の折り返し部にフランジ部が挾持される構成としたものであるから、検電器を取り付けた後、特別な手段を講じることなく作業用帽子に組み込むことが出来るものである。
又、検電器が高電圧を検出した時、振動と警告音をもって、作業者に危険を知らせるようにした携帯用検電器としたので、作業現場の雑音が大きい時には、振動で上記危険を知ることが出来るものである。
【発明の効果】
【００１０】  本発明は以上説明した如く、頭部を衝撃から保護する保護部材を合成樹脂等で作り、その保護部材を軽くて通気性のある布製作業用帽子に着脱自在に設けると共にその保護部材に前記帽子との間に検電器を装着自在に設けることが出来る収納部を設けたものであるから、作業者は暑さ対策、軽くても衝撃からの保護、感電防止等が確実に確保されるものである。
【発明を実施するための最良の形態】
【実施例１】
【００１１】  次に本発明の詳細を図に示す一実施例で説明する。
先づ図１〜図３に於いて、図１は本発明を備えた作業用帽子の斜視図であり、図２は図１の作業用帽子を裏側より見た図であり、図３は図２のＡ−Ａ断面図である。
先づ図１に於いて、１は本発明を備えた作業用帽子、この作業用帽子１は帽子の頭部にあたる所に検電器２を装着自在に備えている。
又この作業用帽子は布製で作られ、軽くて通気性のあるものである。【００１２】  ３は顎紐である。この顎紐３は両端にクリップ３ａを有し、上記作業用帽子１に図に示す如く取り付けられている。
４は合成樹脂等で作られた保護部材である。この保護部材４は先の帽子１の内側に合う形状に形成され、保護部材４の頭部４ａと作業用帽子１の内側１ａとの間に１０ｍｍ〜２０ｍｍ程度の空間５を形成するよう構成されている。
即ち、上記保護部材４には上記空間５保持の為に突リブ４ｂが設けられている。
６は上記空間５の一部に作られた検電器２を収納する収納部である。この収納部６には市販の検電器２が丁度納まるものである。換云すると市販の検電器２は厚みが１０ｍｍ〜２０ｍｍであると云うことである。【００１３】  ここで図７を用いて一般的検電器２の構造を説明する。
図７は本発明の作業用帽子に組み込まれる一般的検電器２のブロック図である。
図に於いて２ａは検電部、７は検電用電極板、８は増幅器、９は比較器、１０は低周波発振器、１１はアンドゲート、１２は出力増幅器、１３は警音器である。以上の構成に於いて、高電圧が給電されている機器、配線等に作業者が接近すると、その接近距離に応じた電圧が検電部２ａの電極板７に発生する。この電圧の増幅出力ＶＤと基準電圧ＶＳが比較され、両者がＶＤ≧ＶＳの関係になると、低周波電力信号が警音器１３に印加され警告音（或いは振動）となり作業者に知らせるものである。
作業者は、この警告を受けて安全な距離まで退避することによって、安全な作業を行なうことが出来るものである。【００１４】  上記保護部材４のフランジ４ｃは作業用帽子１の折り返し部１ｂに図３の如く挾持され、その位置が保持されている。
上記クリップ３ａは折り返し部１ｂとフランジ４ｃとの位置を安定化させる役目を果たすものである。４ｄは通気孔、この通気孔４ｄは保護部材４に複数個から多数設けられ、布製作業用帽子１（通気性がある帽子）を通して空間５に入った空気を保護部材４の内側に入れる働きをする。尚この通気孔４ｄの代わりにスリット状の溝を設けても良いことは云うまでもない。【００１５】  換云すると、作業者が上記帽子１をかぶった時、作業者の頭は上記通気孔４ｄから入る外気により冷却されるものである。
即ち、軽い布製作業用帽子１であっても衝撃性に耐えるものとする為に組み込まれる保護部材４は合成樹脂或いは軽い薄板金属等で作られているものである。
【実施例２】
【００１６】  次に図４〜図６をもって本発明の他の実施例を説明する。
図４は図３中の保護部材４を取り出し収納部６に蓋をかぶせた図であり、図５は図４とは異なる保護部材４を示す図であり、図６は図１と異なる作業用帽子１の斜視図である。
先づ図４に於いて、２は検電器、４は保護部材、上記検電器２は保護部材４の頭部４ａに形成された収納部６内に納められている。【００１７】  １４は蓋である。この蓋１４は収納部６内に納めた検電器２が収納部６より飛び出るのを防止するものである。
この蓋１４を付けた状態で保護部材４を先の作業用帽子１に組み付けるものである。
こうすることにより、作業用帽子１から保護部材４を取り外した時でも検電器２が収納部６より飛び出すことがないものである。
次に図５に於いて、【００１８】  図５に示すものは検電器２と保護部材４とを一体としたものである。具体的には保護部材４中に検電器２を収納する収納部６を作るようにしたものである。
この場合の保護部材４は折り返し部１ｂ（図３参照）に挾持されるフランジ部４ｃが図５の如く複数個の脚状に形成されているものである。
こうすることにより、保護部材４を作業用帽子１に組み付けておくことを習慣づければ、作業者は検電器２の装着を忘れると云うことがないものである。【００１９】  次に、図６を用いてバッテリー切れ対策を行なった作業用帽子１に付いて説明する。前記した検電器２はバッテリーに電池を使用している関係上、作業中の電池切れに遭遇することがある。
このような時、一個の検電器２の場合、作業者は身を守り切れない。
そこで、本発明の作業用帽子１は二個の検電器２を図６に示す如く、作業用帽子１内に組み込むようにしたものである。
具体的には保護部材４（図３参照）に二個の検電器２を納めることが出来る収納部６（図３参照）作ったものである。
こうすることにより電池切れに遭遇しても作業者の身の安全は確保される。【００２０】  本発明は以上説明した如く軽くて、通気性のある布製作業用の帽子１に合わせ型成形した合成樹脂製等の保護部材４を設け、頭上からの衝撃より身を守る保護部材４に通気孔４ｄを設け、作業者の暑さ対策を行なったものである他、上記作業用の帽子１と保護部材４との間に構成される収納部６内に充電部に近づいたことを作業者に音或いは振動等をもって警告する検電器を設けたものであるから、特別な設置場所を新たに作る必要がなく、作業者の身の安全を守ることが出来るものである。【００２１】  換云すると、保護部材４が作る収納部６は市販されている検電器２を収納することが出来るスペースをもっていれば良いと云うことである。
又、上記検電器２は作業用帽子１の頭部に収納されていることより、いざと云う時には衝撃力の緩和をしてくれるものである。
更に、本発明に適用される検電器２は図７にその構成を説明した例に限るものでなく、作業者が充電部に近づいた時に音と振動をもって危険を作業者に警告してくれるものであれば作業現場の雑音が大きくとも作業者は危険を知ることが出来るものである。
又、上記保護部材４の取り付けは折り返し部１ｂ（図３参照）にフランジ４ｃを挾持させる構造に限ることなく、作業用帽子１の適所に折り返し部１ｂに相当するものを準備しておけば良いものである。
本発明は以上説明した如き構成を有するものであるから次の効果が得られるものである。
即ち、頭部を衝撃から保護する保護部材を合成樹脂等で作り、更にその保護部材を軽くて通気性のある作業用帽子に着脱自在に設けると共にその保護部材に前記帽子との間に検電器を装着自在に設けることが出来る収納部を設けたものであるから作業者は夏期の暑さから解放され、且つ軽くても頭の保護が確保され、更には感電から身を守ることが出来るものである。
又、保護部材と一体に収納部を作ると共に、その収納部は二個の検電器が収納出来る大きさとしたものであるから、途中で一個の検電器のバッテリー切れ等が生じても作業者の身は守られるものである。
又、帽子の内側形状に合わせて作られた保護部材は帽子の折り返し部にフランジ部が挾持される構成としたものであるから、検電器を取り付けた後、特別な手段を講じることなく作業用帽子に組み込むことが出来るものである。
更に、検電器が高電圧を検出した時、振動と警告音をもって、作業者に危険を知らせるようにした検電器としたので、作業現場の雑音が大きい時には、腕又は作業用帽子に上記機能を持つ検電器を携帯したり身に付けたりすれば作業者は危険を回避することが出来るものである。
【図面の簡単な説明】
【００２２】
【図１】  本発明を備えた作業用帽子の斜視図である。
【図２】  図１の作業用帽子を裏側より見た図である。
【図３】  図２のＡ−Ａ断面図である。
【図４】  図３中の保護部材４を取り出し収納部６に蓋をかぶせた図である。
【図５】  図４とは異なる保護部材４を示す図である。
【図６】  図１と異なる作業用帽子１の斜視図である。
【図７】  本発明の作業用帽子に組み込まれる一般的検電器のブロック図である。
【符号の説明】
【００２３】１  作業用帽子    １ａ  帽子の内側    １ｂ  折り返し部
２  検電器      ２ａ  検電部
３  顎紐      ３ａ  クリップ
４  保護部材    ４ａ  頭部  ４ｂ  突リブ  ４ｃ  フランジ  ４ｄ  通気孔
５  空間
６  収納部
７  検電用電極板
８  増幅器
９  比較器
１０  低周波発振器
１１  アンドゲート
１２  出力増幅器
１３  警音器
１４  蓋
【図１】
2008150761.tif 000003
【図２】
2008150761.tif 000004
【図３】
2008150761.tif 000005
【図４】
2008150761.tif 000006
【図５】
2008150761.tif 000007
【図６】
2008150761.tif 000008
【図７】
2008150761.tif 000009